(57)【要約】【課題】ユーザーの行動を適切に把握することが可能な車両用スケジュール管理装置を提供すること。【解決手段】ユーザーによる情報入力が可能な情報入力手段と、自車両の現在位置を取得する現在位置取得手段と、施設の位置を含む地図情報が記憶された地図情報記憶手段と、所定条件を満たす場合に、情報入力手段を用いて施設の利用目的を入力するようにユーザーに要求する入力要求手段と、入力要求手段による入力要求の結果としてユーザーにより前記情報入力手段を用いて入力された施設の利用目的を施設と対応付けて記憶する施設情報記憶手段と、を備える車両用スケジュール管理装置であって、所定条件は、現在位置取得手段により取得された自車両の現在位置が、地図情報に含まれる施設の位置から所定距離以内となることであることを特徴とする車両用スケジュール管理装置。【選択図】図１
2008040754.tif 000002
【特許請求の範囲】
【請求項１】
ユーザーによる情報入力が可能な情報入力手段と、
自車両の現在位置を取得する現在位置取得手段と、
施設の位置を含む地図情報が記憶された地図情報記憶手段と、
所定条件を満たす場合に、前記情報入力手段を用いて施設の利用目的を入力するようにユーザーに要求する入力要求手段と、
該入力要求手段による入力要求の結果としてユーザーにより前記情報入力手段を用いて入力された施設の利用目的を施設と対応付けて記憶する施設情報記憶手段と、を備える車両用スケジュール管理装置であって、
前記所定条件は、前記現在位置取得手段により取得された自車両の現在位置が、前記地図情報に含まれる施設の位置から所定距離以内となることであることを特徴とする、
車両用スケジュール管理装置。
【請求項２】
ユーザーによる情報入力が可能な情報入力手段と、
自車両の現在位置を取得する現在位置取得手段と、
施設の位置を含む地図情報が記憶された地図情報記憶手段と、
ユーザーにより車載ナビゲーション装置における目的地を入力可能な目的地入力手段と、
所定条件を満たす場合に、前記情報入力手段を用いて施設の利用目的を入力するようにユーザーに要求する入力要求手段と、
該入力要求手段による入力要求の結果としてユーザーにより前記情報入力手段を用いて入力された施設の利用目的を施設と対応付けて記憶する施設情報記憶手段と、を備える車両用スケジュール管理装置であって、
前記所定条件は、前記現在位置取得手段により取得された自車両の現在位置が、前記目的地入力手段により車載ナビゲーション装置における目的地として入力された施設であって前記地図情報に含まれる施設の位置から所定距離以内となることであることを特徴とする、
車両用スケジュール管理装置。
【請求項３】
請求項１又は２に記載の車両用スケジュール管理装置であって、
自車両の走行駆動機関の駆動状態を検出する走行駆動機関状態検出手段を備え、
前記所定条件は、前記走行駆動機関状態検出手段により自車両の走行駆動機関の停止が検出されたことを更に含む、車両用スケジュール管理装置。
【請求項４】
請求項１ないし３のいずれかに記載の車両用スケジュール管理装置であって、
前記入力要求手段による入力要求の際に、前記地図情報に含まれる施設のうち位置が前記現在位置取得手段により取得された自車両の現在位置から所定距離以内となった施設に対応する利用目的を前記地図情報記憶手段から検索してユーザーに提示することを特徴とする、車両用スケジュール管理装置。
【請求項５】
請求項４に記載の車両用スケジュール管理装置であって、
前記施設情報記憶手段は、施設に対応する利用目的を含む情報を記憶する手段であり、予め記憶された施設に対応する利用目的に関する情報に、前記情報入力手段を用いて入力された施設の利用目的が付加されて更新されることを特徴とする、車両用スケジュール管理装置。
【請求項６】
請求項１ないし５のいずれかに記載の車両用スケジュール管理装置であって、
前記施設情報記憶手段に記憶された情報に基づいて、所定の通知タイミングで施設の利用を促す通知を行なう通知手段を備えることを特徴とする、
車両用スケジュール管理装置。
【請求項７】
請求項６に記載の車両用スケジュール管理装置であって、
前記入力要求手段は、入力要求時において、所定の利用周期をもってなされる施設の利用であるか否かを入力するようにユーザーに要求し、所定の利用周期をもってなされる施設の利用である旨が入力された場合には、該所定の利用周期を入力するようにユーザーに要求する手段であり、
前記施設情報記憶手段は、該入力要求手段による入力要求の結果としてユーザーにより前記情報入力手段を用いて入力された所定の利用周期を記憶する手段であり、
前記所定の通知タイミングは、該施設情報記憶手段に記憶された所定の利用周期に基づいて決定されることを特徴とする、車両用スケジュール管理装置。
【請求項８】
請求項６又は７に記載の車両用スケジュール管理装置であって、
前記施設情報記憶手段に記憶された施設に対応する利用目的から、所定の利用周期をもってなされる施設の利用を抽出する周期的利用目的抽出手段を備え、
前記施設情報記憶手段は、該抽出された所定の利用周期を記憶する手段であり、
前記所定の通知タイミングは、該施設情報記憶手段に記憶された所定の利用周期に基づいて決定されることを特徴とする、車両用スケジュール管理装置。
【発明の詳細な説明】
【技術分野】
【０００１】
本発明は、車両用スケジュール管理装置に関する。
【背景技術】
【０００２】
従来、登録されたユーザーの所有する自動車の消耗部品のデータや整備履歴を、送信設備を有する特定の整備店やガソリンスタンドからサービスセンターに送信し、サービスセンターにおいてこれを劣化度の汎用テーブルと照合した結果、点検、整備、又は交換すべき部品がある場合に、ユーザーに部品の点検等の必要がある旨を通知する、自動車の故障予防支援サービス方法についての発明が開示されている（例えば、特許文献１参照）。
【特許文献１】国際公開第０３／０８３７４２号パンフレット
【発明の開示】
【発明が解決しようとする課題】
【０００３】
しかしながら、上記従来の方法では、送信設備を有する特定の整備店やガソリンスタンド以外の場所で整備等が行なわれた場合に、当該整備等の情報を反映させることができない。また、自動車において把握可能なユーザーの行動は、自動車の整備に限られるものではない。
【０００４】
本発明はこのような課題を解決するためのものであり、ユーザーの行動を適切に把握することが可能な車両用スケジュール管理装置を提供することを、主たる目的とする。
【課題を解決するための手段】
【０００５】
上記目的を達成するための本発明の第１の態様は、ユーザーによる情報入力が可能な情報入力手段と、自車両の現在位置を取得する現在位置取得手段と、施設の位置を含む地図情報が記憶された地図情報記憶手段と、所定条件を満たす場合に、情報入力手段を用いて施設の利用目的を入力するようにユーザーに要求する入力要求手段と、入力要求手段による入力要求の結果としてユーザーにより情報入力手段を用いて入力された施設の利用目的を施設と対応付けて記憶する施設情報記憶手段と、を備える車両用スケジュール管理装置であって、所定条件は、現在位置取得手段により取得された自車両の現在位置が、地図情報に含まれる施設の位置から所定距離以内となることであることを特徴とする車両用スケジュール管理装置である。
【０００６】
この本発明の第１の態様によれば、自車両の現在位置が地図情報に含まれる施設の位置から所定距離以内となり、ユーザーがこれから施設を利用すると推察される場面において、施設の利用目的を入力するように要求するから、ユーザーが自らシステムを立ち上げて入力操作を行なう煩わしさを軽減することができ、また、利用目的を漏れなく入力せしめることができる。これにより、ユーザーの行動を適切に把握することができる。
【０００７】
本発明の第２の態様は、ユーザーによる情報入力が可能な情報入力手段と、自車両の現在位置を取得する現在位置取得手段と、施設の位置を含む地図情報が記憶された地図情報記憶手段と、ユーザーにより車載ナビゲーション装置における目的地を入力可能な目的地入力手段と、所定条件を満たす場合に、情報入力手段を用いて施設の利用目的を入力するようにユーザーに要求する入力要求手段と、入力要求手段による入力要求の結果としてユーザーにより情報入力手段を用いて入力された施設の利用目的を施設と対応付けて記憶する施設情報記憶手段と、を備える車両用スケジュール管理装置であって、所定条件は、現在位置取得手段により取得された自車両の現在位置が、目的地入力手段により車載ナビゲーション装置における目的地として入力された施設であって地図情報に含まれる施設の位置から所定距離以内となることであることを特徴とする車両用スケジュール管理装置である。
【０００８】
また、本発明の第１又は第２の態様において、自車両の走行駆動機関の駆動状態を検出する走行駆動機関状態検出手段を備え、所定条件は、走行駆動機関状態検出手段により自車両の走行駆動機関の停止が検出されたことを更に含むものとしてもよい。
【０００９】
また、本発明の第１又は第２の態様において、入力要求手段による入力要求の際に、地図情報に含まれる施設のうち位置が現在位置取得手段により取得された自車両の現在位置から所定距離以内となった施設に対応する利用目的を地図情報記憶手段から検索してユーザーに提示することを特徴とすると好適である。この場合、施設情報記憶手段は、例えば、施設に対応する利用目的を含む情報を記憶する手段であり、予め記憶された施設に対応する利用目的に関する情報に、情報入力手段を用いて入力された施設の利用目的が付加されて更新されることを特徴とする。
【００１０】
また、本発明の第１又は第２の態様において、施設情報記憶手段に記憶された情報に基づいて、所定の通知タイミングで施設の利用を促す通知を行なう通知手段を備えることを特徴とすると、より好適である。
【００１１】
また、本発明の第１又は第２の態様は、例えば、入力要求手段は、入力要求時において、所定の利用周期をもってなされる施設の利用であるか否かを入力するようにユーザーに要求し、所定の利用周期をもってなされる施設の利用である旨が入力された場合には、所定の利用周期を入力するようにユーザーに要求する手段であり、施設情報記憶手段は、入力要求手段による入力要求の結果としてユーザーにより情報入力手段を用いて入力された所定の利用周期を記憶する手段であり、所定の通知タイミングは、施設情報記憶手段に記憶された所定の利用周期に基づいて決定されることを特徴とするものである。
【００１２】
また、本発明の第１又は第２の態様は、例えば、施設情報記憶手段に記憶された施設に対応する利用目的から、所定の利用周期をもってなされる施設の利用を抽出する周期的利用目的抽出手段を備え、施設情報記憶手段は、抽出された所定の利用周期を記憶する手段であり、所定の通知タイミングは、施設情報記憶手段に記憶された所定の利用周期に基づいて決定されることを特徴とするものである。
【００１３】
なお、本発明の第１又は第２の態様において、地図情報記憶手段と、施設情報記憶手段とは、同一の記憶媒体により実現されてよい。
【発明の効果】
【００１４】
本発明によれば、ユーザーの行動を適切に把握することが可能な車両用スケジュール管理装置を提供することができる。
【発明を実施するための最良の形態】
【００１５】
以下、本発明を実施するための最良の形態について、添付図面を参照しながら実施例を挙げて説明する。
【実施例】
【００１６】
以下、図１〜３を用いて、本発明に係る車両用スケジュール管理装置の一実施例について説明する。図１は、本発明の一実施例に係る車両用スケジュール管理装置１の全体構成の一例を示す図である。車両用スケジュール管理装置１は、既存の車載ナビゲーション装置が備えるハードウエア構成を用いて実現可能である。車両用スケジュール管理装置１は、主要な構成として、ＧＰＳ（Global  Positioning  System）受信機１０と、マルチディスプレイ２０と、音声入出力装置３０と、メモリ４０と、ナビゲーション装置用ＥＣＵ（Electronic  Control  Unit）５０と、を備える。なお、以下の説明における車両内の機器間の通信は、ＣＡＮ（Controller  Area  Network）等の適切な通信プロトコルを用いて行なわれる。
【００１７】
ＧＰＳ受信機１０は、ＧＰＳ衛星から衛星の軌道と時刻のデータを含む電波信号を受信する。当該受信されたデータはナビゲーション装置用ＥＣＵ５０に送信され、電波信号の時間差に基づく演算により自車両の現在位置（緯度、経度、高度）が取得される。なお、自車両の現在位置は、ナビゲーション装置用ＥＣＵ５０において、車速センサーやジャイロセンサー等の各種センサーの出力や、ビーコン受信機及びＦＭ多重受信機を介して受信される各種情報に基づいて補正されてよい。
【００１８】
マルチディスプレイ２０は、動画を含む画像表示を行なうと共に、タッチパネルとしてユーザーによる種々の入力操作（経路案内に係る目的地の入力を含む）を可能に構成されたディスプレイ装置である。マルチディスプレイ２０は、その表面にユーザーがタッチ操作したことによる電圧の変化を検出して、操作された位置を認識する。また、その画面脇には、操作ボタンが並設されている。マルチディスプレイ２０になされた入力操作はナビゲーション装置用ＥＣＵ５０に送信され、マルチディスプレイ２０の表示内容はナビゲーション装置用ＥＣＵ５０により決定される。
【００１９】
音声入出力装置３０は、スピーカー及び音声入力が可能なマイクにより構成される。音声入出力装置３０は、一般的な車載ナビゲーション装置の機能としての経路案内に係る音声出力や、本発明に特有の機能としての、施設の利用を促す通知に係る音声出力を行なう。また、音声入出力装置３０は、マルチディスプレイ２０になされる種々のタッチ操作と同様の入力操作を音声により行なうことが可能であり、特に、自車両の走行に伴って安全のためマルチディスプレイ２０へのタッチ操作が禁止された際に、代替入力手段としての役割を果たす。音声入出力装置３０になされた音声入力はナビゲーション装置用ＥＣＵ５０に送信され、音声入出力装置３０の出力内容はナビゲーション装置用ＥＣＵ５０により決定される。
【００２０】
メモリ４０は、ハードディスクやＤＶＤ，ＣＤ−ＲＯＭ等の読書き可能な記憶媒体である。メモリ４０には、地図情報４２及び施設情報４４が記憶されている。
【００２１】
地図情報４２は、一般的な車載ナビゲーション装置の地図情報と同様に、座標（緯度及び経度）を有するノード点をリンクで接続した態様で記憶された道路の情報、及び、特定の施設の位置（緯度及び経度）からなる。
【００２２】
施設情報４４は、上記各施設をラベルとして構成される、利用目的情報４４Ａ及び過去の利用情報４４Ｂからなる。利用目的情報４４Ａは、各施設において実行可能な利用目的の一覧である。過去の利用情報４４Ｂは、ユーザーにより各施設が利用された日付、及び各施設の利用が周期的なものであるか（周期的なものである場合は、その周期；毎週、隔週、毎月、毎年等）についての情報である。図２は、施設情報４４のデータ格納例を示す図である。また、施設に付随しない利用目的の一覧（すなわち、あらゆる施設において考え得る利用目的の一覧）も含まれる。
【００２３】
なお、過去の利用情報４４Ｂには、その施設を利用する前の車両の走行履歴や他施設の利用状況、すなわち経路情報が含まれてよい。経路情報とは、単に自車両の現在位置の履歴から求められるものであってもよいし、ナビゲーション装置において経由地と最終目的地が指定された場合には、最終目的地に相当する施設と経由地に相当する施設の情報が紐付けられてよい。このように経路情報を施設情報４４と紐付けることにより、後述する施設の利用を促す通知を適切に行なうことができる。
【００２４】
地図情報４２に含まれる施設の情報や、施設情報４４は、製品の納入時等に予めメモリ４２に記憶されているものとする。また、後述する如くユーザーによる入力により更新されてもよいし、車載インターネット施設等により随時最新のものに更新されてもよい。
【００２５】
施設において実行可能な利用目的の一覧は、例えば、施設がディーラー店や自動車整備工場であれば、車検やタイヤ交換、オイル交換、パーツ交換等が考えられる。また、施設が学校であれば、ＰＴＡ集会や授業参観等が考えられる。
【００２６】
周期的な利用とは、オイル交換の如く消耗部品等の耐用期間から凡その周期が割り出されるものがまず考えられるが、こうした部品の交換や修理に関するものに限られず、例えば、上記学校における定期的なＰＴＡ集会や、毎月特定の日に行なわれるスーパーの特売、毎週特定の曜日に行なわれるスイミングスクール、毎年特定の日に開催される観光行事（大文字送り火や祇園祭り等）などの利用が考えられる。
【００２７】
このように、自動車の整備等に限らず、種々の情報が施設情報４４として記憶される。従って、ユーザーの様々な行動を把握した上で、後述する施設の利用を促す通知を適切に行なうことができる。
【００２８】
ナビゲーション装置用ＥＣＵ５０は、例えば、ＣＰＵを中心としてＲＯＭやＲＡＭ等がバスを介して相互に接続されたコンピューターユニットであり、その他、入出力インターフェイスやタイマー、カウンター等を備える。ナビゲーション装置用ＥＣＵ５０には、車両のエンジン制御を集中的に行なうエンジンＥＣＵ６０等の車載ＥＣＵ類が接続されており、エンジンＥＣＵ６０からはエンジンの運転状況（エンジン回転数等）に関する状態信号が定期的に送信されている。
【００２９】
ナビゲーション装置用ＥＣＵ５０は、一般的な車載ナビゲーション装置の機能として、マルチディスプレイ２０を用いて選択された目的地までの経路案内を行なう。また、ナビゲーション装置用ＥＣＵ５０は、上記ハードウエアを用いて実現される本発明に特徴的な機能ブロックとして、入力要求部５２と、通知部５４と、を備える。
【００３０】
入力要求部５２は、所定条件を満たす場合に、マルチディスプレイ２０及び／又は音声入出力装置３０を用いて施設の利用目的を入力するように、マルチディスプレイ２０及び／又は音声入出力装置３０を用いてユーザーに要求する。本実施例において上記所定条件は、ＧＰＳ受信機１０から入力されるデータにより取得される自車両の現在位置が目的地として入力された施設の位置から所定距離以内となり、且つ、エンジンＥＣＵ６０から送信される状態信号によりエンジンが停止していると判定されたことである。後者の判定は、例えば、エンジン回転数が所定回転数未満となったことをもってエンジンが停止していると判定すればよい。このような所定条件が成立するのは、目的地として入力した施設に自車両が到達してエンジンが停止され、その後ユーザーが降車して施設を利用すると推察される場面である。そこで、このような場面において、施設の利用目的を入力するようにユーザーに要求することとしている。
【００３１】
施設の利用目的の入力は、まず、当該施設に付随する情報として利用目的候補情報４４Ａに含まれる利用目的が提示され、その後に入力という手順で行なわれる。この際に、提示された利用目的の中に存在しない新規な利用目的を入力することも可能である。また、周期的な利用であるか否か（周期的な利用である場合は、その周期；前述の如く、毎週、隔週、毎月、毎年等）も併せて入力される。図３は、マルチディスプレイ２０を用いて入力する場合の、入力操作用画面の初期状態の一例を示す図である。図示する如く、当該画面上では、到達した施設名を表示する施設名表示部分２２と、利用目的（の候補）を表示すると共にタッチ操作により利用目的を選択することが可能な利用目的選択スイッチ２４と、施設の利用が周期的なものであるか否かを選択するためのＹＥＳスイッチ２６Ａ及びＮＯスイッチ２６Ｂとが設けられる。そして、利用目的選択スイッチ２４のうち「その他」が選択されると、施設に付随しないあらゆる利用目的の一覧が表示され、その中からユーザーが利用目的を選択できるようになっている。また、ＹＥＳスイッチ２６Ａがタッチ操作されると、周期の入力画面に移行し、毎週、隔週、毎月、毎年等の別を入力することができる。
【００３２】
また、利用周期の決定は、ユーザーの入力によるものに限られず、例えばオイル交換の場合には自動的に６ヶ月程度に決定してもよいし、毎年同じ日に行なわれる観光行事についても自動的に１年に決定してもよい。こうした判断は、予めメモリ４０に判断用データ（利用周期が自動的に決定可能な利用目的の一覧、及び、毎年同じ日に行なわれる観光行事等の一覧等）を記憶しておき、ナビゲーション装置用ＥＣＵ５０において、これを参照することにより行なうことができる。
【００３３】
このように、車両用スケジュール管理装置１が所定条件の下で自発的に入力要求をすることにより、ユーザーが自らシステムを立ち上げて入力操作を行なう煩わしさを軽減することができ、また、利用目的を漏れなく入力せしめることができる。
【００３４】
入力された利用目的は、日付と共に施設情報４４に記憶される。具体的には、新規な利用目的が入力された場合には、これが利用目的情報４４Ａに追加される。また、周期的な利用である場合には、利用周期が過去の利用情報４４Ｂに追加又は更新される。そして、日付が当該利用目的に対応する前回の利用日として記憶される。
【００３５】
通知部５４は、各施設について、前回の利用日と利用周期とから次回利用されるべき日を割り出し、その日が近づくと、所定の通知タイミングで利用を促す通知を行なうようにマルチディスプレイ２０及び／又は音声入出力装置３０を制御する。なお、通知タイミングの具体的な決定方法には特段の制限が無いが、例えば、利用周期との関係で前日から前月程度の間で変動してよい。図２の例に即して説明すると、利用周期が２ヶ月であるＰＴＡ集会については１週間前を通知タイミングとし、「来週の＊月＊日はＰＴＡ集会の日です」等の通知を行なう。また、利用周期が１ヶ月であるスーパーの特売については数日前を通知タイミングとし、「３日後の＊月＊日はスーパーＡの特売日です」等の通知を行なう。同様に、利用周期が１週間であれば前日又は２日前程度に、１年であれば前月程度に通知タイミングを定めてよい。
【００３６】
所定の通知タイミングは、利用周期に基づいて決定されるものに限らず、施設情報４４においてその施設に紐付けられた経路情報に基づいて決定されてもよい。例えば、特定のスイミングスクールを利用した後には特定の店で買い物をすることが施設情報４４に記憶されている場合、当該スイミングスクールを利用した後に当該店から所定距離以内となったときに、通知を行なうことが考えられる。
【００３７】
また、通知部５４は、特に車両整備の場合において、代替可能な施設が施設情報４４中に存在する場合は、当該利用目的について利用可能な施設の一覧を表示又は音声出力するものとしてもよい。更に、利用可能な施設は、経路情報に基づいて最適なものから順序付けした上で表示又は音声出力されてもよい。すなわち、単に距離に基づいて順序付けするだけでなく、道路のいずれの側に在るか、間に川等が存在しないか、までを考慮して順序付けする。中央分離帯の存在により向かって右側の施設を利用するのが煩わしい場合等もあるからである。
【００３８】
また、この際に、当該目的のために前回利用した施設を通知すると好適である。例えば、「前回は自動車整備工場Ａを利用しましたが、今回はどうしますか？利用可能な施設は、‥」等のアナウンスを行なう。
【００３９】
このような機能により、周期的な利用について、利用日が近づいたことをユーザーに適切に通知することができる。また、その他の場合においても、経路情報等を考慮することで、複雑なユーザーの行動パターンやスケジュールに応じた情報提供を行なうことができる。
【００４０】
以上説明した本実施例の車両用スケジュール管理装置１によれば、ユーザーがこれから施設を利用すると推察される場面において、施設の利用目的を入力するようにユーザーに要求するから、ユーザーが自らシステムを立ち上げて入力操作を行なう煩わしさを軽減することができ、また、利用目的を漏れなく入力せしめることができる。これにより、ユーザーの行動を適切に把握することができる。
【００４１】
また、自動車の整備等に限らず、種々の情報が施設情報４４として記憶される。従って、ユーザーの様々な行動を把握した上で、周期的な利用については利用日が近づいたことをユーザーに適切に通知することができる。
【００４２】
また、車両用スケジュール管理装置１は、既存の車載ナビゲーション装置が備えるハードウエア構成を用いて実現可能であるため、設備負担が過大なものとならない。
【００４３】
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００４４】
例えば、利用目的の入力を要求するための所定条件は、エンジンが停止したことを含むものとしたが、エンジンが停止したことに代えて、シフト位置がＰポジションに移行したことを条件に含んでもよいし、特に電気自動車の場合はモータへの通電の停止を条件に含んでもよい。
【００４５】
また、こうしたエンジンやモータ等の走行駆動機関の停止を、利用目的の入力を要求するための所定条件に含まないこととしてもよい。すなわち、ＧＰＳ受信機１０から入力されるデータにより取得される自車両の現在位置が目的地として入力された施設の位置から所定距離以内となった場合に利用目的の入力を要求するのである。こうすれば、入力要求の頻度が高くなり、実際にはユーザーが施設を利用しない場面における不要な入力要求がなされる可能性は否定できないが、実施例のものに比して入力要求を前倒しに行なうことができるという利点がある。
【００４６】
また、目的地として入力された施設に限らず、あらゆる施設から所定距離以内となった場合、或いは、あらゆる施設から所定距離以内となり且つ走行駆動機関の停止を検出した場合に、入力要求を行なうこととしてもよい。
【産業上の利用可能性】
【００４７】
本発明は、自動車製造業や自動車部品製造業等に利用可能である。
【図面の簡単な説明】
【００４８】
【図１】本発明の一実施例に係る車両用スケジュール管理装置１の全体構成の一例を示す図である。
【図２】施設情報４４のデータ格納例を示す図である。
【図３】マルチディスプレイ２０を用いて入力する場合の、入力操作用画面の初期状態の一例を示す図である。
【符号の説明】
【００４９】
１  車両用スケジュール管理装置
１０  ＧＰＳ受信機
２０  マルチディスプレイ
２２  施設名表示部分
２４  利用目的選択スイッチ
２６Ａ  ＹＥＳスイッチ
２６Ｂ  ＮＯスイッチ
３０  音声入出力装置
４０  メモリ
４２  地図情報
４４  施設情報
４４Ａ  利用目的情報
４４Ｂ  過去の利用情報
５０  ナビゲーション装置用ＥＣＵ
５２  入力要求部
５４  通知部
６０  エンジンＥＣＵ
【図１】
2008040754.tif 000003
【図２】
2008040754.tif 000004
【図３】
2008040754.tif 000005